(57)【要約】【課題】ディスプレイへの外光の遮断、使用者周辺の他人からのディスプレイの覗き見の阻止、ディスプレイへの皮脂や汗の付着回避、及び高性能カメラの設置空間の確保を実現しながら、それに伴った寸法の拡大が生じない折り畳み式電子機器を提供する。【解決手段】表示部を有する第１の表面を有する第１の筐体と、操作部を有する第２の表面を有する第２の筐体と、第１の筐体と第２の筐体とが折り畳み自在に結合されているヒンジ部と、第１の筐体の第１の表面の外縁部に、ヒンジ部以外に設けられた立ち壁部と、第２の筐体の第２の表面の外縁部に、ヒンジ部以外に形成された段差部とを備え、第１の筐体と第２の筐体とを折り畳んだ際には、立ち壁部と対向する段差部とが噛み合って直方体形状を形成する。【選択図】図２Ａ
2011124649.tif 000002
【特許請求の範囲】
【請求項１】
表示部を有する第１の表面を有する第１の筐体と、
操作部を有する第２の表面を有する第２の筐体と、
前記第１の筐体と前記第２の筐体とが折り畳み自在に結合されているヒンジ部と、
前記第１の筐体の前記第１の表面の外縁部に、前記ヒンジ部以外に設けられた立ち壁部と、
前記第２の筐体の前記第２の表面の外縁部に、前記ヒンジ部以外に形成された段差部と
を備え、
前記第１の筐体と前記第２の筐体とを折り畳んだ際には、前記立ち壁部と対向する前記段差部とが噛み合って直方体形状を形成する
折り畳み式電子機器。
【請求項２】
請求項１に記載の折り畳み式電子機器であって、
前記ヒンジ部の対辺に位置する前記立ち壁部は、
レシーバ
を備える
折り畳み式電子機器。
【請求項３】
請求項１、又は２に記載の折り畳み式電子機器であって、
前記ヒンジ部の対辺に位置する前記立ち壁部は、
カメラ
を更に備える
折り畳み式電子機器。
【請求項４】
請求項１乃至３のいずれか１項に記載の折り畳み式電子機器であって、
前記立ち壁部は、
前記折り畳み式電子機器の使用時に、前記表示部と使用者とが接触することを防止する高さ
を有する
折り畳み式電子機器。
【請求項５】
請求項１乃至４のいずれか１項に記載の折り畳み式電子機器であって、
前記立ち壁部は、
前記ヒンジ部とは直交する対辺に形成された一対の立ち壁部を有し、
前記一対の立ち壁部は、
前記第１の表面からの高さが、前記ヒンジ部付近では前記第１の表面と面一、又はそれ以上に、及び前記ヒンジ部の対辺付近では前記ヒンジ部の対辺に位置する前記立ち壁部と面一になる様に、それぞれが連続的に傾斜して形成されており、
また、前記第１の筐体と前記第２の筐体とを折り畳んだ際には、前記一対の立ち壁部と対向する前記段差部とが噛み合って直方体形状を形成する深さに形成された前記段差部を有する
折り畳み式電子機器。
【請求項６】
請求項１乃至５のいずれか１項に記載の折り畳み式電子機器であって、
前記折り畳み式電子機器は、
携帯電話機である
折り畳み式電子機器。
【発明の詳細な説明】
【技術分野】
【０００１】
本発明は、折り畳み式電子機器に関し、特にその構造に関する。
【背景技術】
【０００２】
図１は、折り畳み式携帯電話端末の一例を示した斜視図である。図１を参照すると、折り畳み式携帯電話端末は、大別して、ディスプレイ２側の筐体６とボタン操作部４側の筐体７とから構成されており、ヒンジ３で折り畳むことができる。筐体６を開いた平面上には、ディスプレイ２が配置され、またレシーバ１は、ディスプレイ２と同じ面、すなわち同じ高さに配置されている。この様な構成においては、ディスプレイ２に太陽光等の強い光が入り込むと表示画面が見にくくなること、周囲の人に表示画面を覗き見されること、通話時に、レシーバ１に耳を押し当てることで、ディスプレイ２に皮脂や汗が付着すること等の問題が生じる。
【０００３】
上の記述に関連して、移動体通信情報端末装置が特許文献１に開示されている。この例では、情報表示画面を有する第１の筐体と、操作スイッチを有する第２の筐体と、開閉移動可能とするヒンジ部とを備える移動体通信情報端末装置において、上記情報表示画面に、上記閉状態において上記操作スイッチと対向される第１表示領域と、上記第１表示領域と隣接されて、上記閉状態において上記操作スイッチと対向されることなく、上記第２の筐体より露出される第２表示領域とを備えさせている。
【０００４】
また、特許文献２には、アンテナ内蔵型携帯機器が開示されている。これは、表示部を備えた上部本体と、操作部を備えた下部本体と、上部本体の内部に固定されたアンテナとを有し、上部本体と下部本体とが互いに接続され、ヒンジ部において少なくとも開閉可能な折り畳み式携帯電話機において、閉じた状態で下部本体と対向する上部本体面に強度を高めるための突起部が形成されている。
【０００５】
そして、携帯端末装置が特許文献３で開示されている。これは、折り畳み構造を有する携帯端末装置であって、操作キーを有する本体ユニットと、本体ユニットと可動自在に接続され、折り畳み時に操作キーに対向する対向面にディスプレイを有するディスプレイユニットと、ディスプレイユニットの対向面であってディスプレイの外縁部に設けられ、ディスプレイユニットの自由端側よりも本体ユニットとの接続側の高さが低く形成されたディスプレイ傷付き防止用の突起部と、を備える。
【先行技術文献】
【特許文献】
【０００６】
【特許文献１】特開２００４−２０７９６１号公報
【特許文献２】特開２００６−１０９０８１号公報
【特許文献３】特開２００８−７９０６９号公報
【発明の概要】
【発明が解決しようとする課題】
【０００７】
開いた筐体の同一平面上にレシーバ、及びディスプレイが配置される構成の折り畳み式携帯電話端末においては、ディスプレイに太陽光等の強い光が入り込むと表示画面が見にくくなること、使用者周辺の他人に表示画面を覗き見されること、通話時に、レシーバに耳を押し当てることで、ディスプレイに皮脂や汗が付着すること等の問題点がある。
【０００８】
本発明が解決しようとする課題は、ディスプレイへの外光の遮断、使用者周辺の他人からのディスプレイの覗き見の阻止、ディスプレイへの皮脂や汗の付着回避、及び高性能カメラの設置空間の確保を実現しながら、それに伴った寸法の拡大が生じない折り畳み式電子機器を提供することである。
【課題を解決するための手段】
【０００９】
本発明の折り畳み式電子機器は、表示部を有する第１の表面を有する第１の筐体と、操作部を有する第２の表面を有する第２の筐体と、第１の筐体と第２の筐体とが折り畳み自在に結合されているヒンジ部と、第１の筐体の第１の表面の外縁部に、ヒンジ部以外に設けられた立ち壁部と、第２の筐体の第２の表面の外縁部に、ヒンジ部以外に形成された段差部とを備え、第１の筐体と第２の筐体とを折り畳んだ際には、立ち壁部と対向する段差部とが噛み合って直方体形状を形成する。
【発明の効果】
【００１０】
本発明によって、ディスプレイへの外光の遮断、使用者周辺の他人からのディスプレイの覗き見の阻止、ディスプレイへの皮脂や汗の付着回避、及び高性能カメラの設置空間の確保を実現しながら、それに伴った寸法の拡大が生じない折り畳み式電子機器を提供することが可能となる。
【図面の簡単な説明】
【００１１】
【図１】図１は折り畳み式携帯電話端末の一例を示した斜視図である。
【図２Ａ】図２Ａは本発明の実施形態における折り畳み式電子機器の一例である折り畳み式携帯電話機の折り畳み構造が開いた状態を示した斜視図である。
【図２Ｂ】図２Ｂは本発明の実施形態における折り畳み式電子機器の一例である折り畳み式携帯電話機の折り畳み構造が閉じた状態を示した斜視図である。
【図３】図３は本発明の実施形態における折り畳み式電子機器の一例である折り畳み式携帯電話機の折り畳み構造が開いた状態での表示部側の筐体内部品実装例を示した断面図である。
【発明を実施するための形態】
【００１２】
以下に、添付図面を参照しながら、本発明の実施形態による折り畳み式電子機器を詳細に説明する。
【００１３】
図２Ａは、本発明の実施形態における折り畳み式電子機器の一例である折り畳み式携帯電話機の折り畳み構造が開いた状態を示した斜視図である。また、図２Ｂは、本発明の実施形態における折り畳み式電子機器の一例である折り畳み式携帯電話機の折り畳み構造が閉じた状態を示した斜視図である。まず、図２Ａを参照すると、本発明による折り畳み式携帯電話機は、表示部であるディスプレイ２の表面を有する側の筐体と、ボタン操作部４が設けられた表面を有する側の筐体と、それぞれの筐体の端部に当たる一辺に結合されたヒンジ３とを備える。そして、図２Ｂを参照すると、本発明による折り畳み式携帯電話機は、ディスプレイ２側の筐体６とボタン操作部４側の筐体７とをヒンジ３で折り畳むことができる。
【００１４】
本発明ではまず、ディスプレイ２側の筐体におけるディスプレイ２の表面上において、ディスプレイ２の上側、すなわち、ヒンジ３の対辺の位置に立ち壁（台状段差）８が設けられる。この立ち壁８によって、ディスプレイ２の表面と立ち壁８の上面との間には段差が生成される。この段差によって生み出された空間を活用し、立ち壁８の内部の上面付近にはレシーバ１が配置される。なお、この立ち壁８は、ディスプレイ２側の筐体と連続体を形成している。
【００１５】
また、立ち壁８の内部で、立ち壁８の上面から見て対面（底面）に当たる位置、すなわち、立ち壁８の内部に配置されるレシーバ１の更に奥側にはカメラ１５が設けられる。カメラ１５のレンズは、ディスプレイ２側の筐体におけるディスプレイ２の表面とは反対側に当たる裏面（立ち壁８の底面）の一部が開孔されて配置される。また、ディスプレイ２側の筐体裏面にはサブディスプレイ１４が設けられる。これは、背面液晶とも呼ばれている。
【００１６】
次に、ディスプレイ２の表面上の左右両側、すなわち、ヒンジ３、及び立ち壁８の一対の辺とは直交する別の一対の辺の部分に、立ち壁９、及び立ち壁１０が設けられる。この立ち壁９、及び立ち壁１０は、上述の立ち壁８とは連続した構造となっており、特に、それらの接合部における上面においては面一に形成されている。また、立ち壁９、及び立ち壁１０は、上述の立ち壁８と同様にディスプレイ２側の筐体と連続体を形成している。
【００１７】
立ち壁９、及び立ち壁１０の上面は、ディスプレイ２の表面と平行に形成されても良い。ただし、立ち壁９、及び立ち壁１０には、図２Ａ、及び図２Ｂにも示されている様に、傾斜をつけることは好適である。すなわち、立ち壁９、及び立ち壁１０の上面におけるディスプレイ２の表面からの高さは、ヒンジ３付近においては、ディスプレイ２表面と面一、又はそれ以上に、また、立ち壁８との接合部においては、上述の様に立ち壁８と面一に形成されている。そしてその２点を直線で結ぶ勾配で立ち壁９、及び立ち壁１０が形成されている。
【００１８】
一方で、ボタン操作部４側の筐体におけるボタン操作部４の表面上において、ボタン操作部４の下側、すなわち、ヒンジ３の対辺の位置に切り欠き（削り段差）１３が設けられる。この切り欠き１３によって、ボタン操作部４の表面と切り欠き１３の底面との間には段差が設けられる。この切り欠き部を以後段差１３と称する。このボタン操作部４の表面から段差１３の底面までの深さは、上述のディスプレイ２の表面から立ち壁８の上面までの高さと同一である。段差１３の内部にはマイク５が設けられる。
【００１９】
次に、ボタン操作部４の表面上の左右両側、すなわち、ヒンジ３、及び段差１３の一対の辺とは直交する別の一対の辺の部分に、段差１１、及び段差１２が設けられる。この段差１１、及び段差１２は、上述の段差１３とは連続した構造となっており、特に、それらの接合部における底面においては面一に形成されている。
【００２０】
段差１１、及び段差１２の底面は、ボタン操作部４の表面と平行に形成されても良い。ただし、段差１１、及び段差１２には、図２Ａ、及び図２Ｂにも示されている様に、傾斜をつけることは好適である。すなわち、段差１１、及び段差１２の底面におけるボタン操作部４の表面からの深さは、ヒンジ３付近においては、ボタン操作部４表面と面一、又はそれ以下に、また、段差１３との接合部においては、上述の様に段差１３と面一に形成されている。そしてその２点を直線で結ぶ勾配で段差１１、及び段差１２が形成されている。また、この勾配は上述の立ち壁９、及び立ち壁１０の勾配と同一である。
【００２１】
段差１１、１２、及び１３は、ディスプレイ２側の筐体６とボタン操作部４側の筐体７とをヒンジ３で折り畳んだときに、それぞれが立ち壁９、１０、及び８に対向する位置に形成されている。したがって、立ち壁８の高さと同じ深さに形成された段差１３を有し、並びに立ち壁９、及び１０と同じ勾配で形成された段差１１、及び１２を有するボタン操作部４側の筐体７は、ディスプレイ２側の筐体６と折り畳んだ際には直方体の形状を形成することになる。そして、例えば、段差１２と立ち壁１０とは、図２Ｂで示される噛み合わせ位置１６の様に折り畳み式携帯電話機を閉じる際に、お互いが邪魔をすることなく収納することができる。
【００２２】
本発明の実施形態における、立ち壁８、９、及び１０、並びに段差１１、１２、及び１３は、すべて面は平面、辺は直線、角は直角に形成されるのが基本の形態であり、また作製も容易である。しかし、上述の様に、折り畳み式携帯電話機を閉じる際に、お互いが邪魔をすることなく収納することができるのであれば、その形態に対し、面取りを行ったり、曲線を用いたりすることに制限を加えるものではない。
【００２３】
図３は、本発明の実施形態における折り畳み式電子機器の一例である折り畳み式携帯電話機の折り畳み構造が開いた状態での表示部側の筐体内部品実装例を示した断面図である。図３を参照すると、表示部側の筐体の中心部には基板１７が設けられている。基板１７は、レシーバ１と、カメラ１５と、ディスプレイ２と、サブディスプレイ１４とそれぞれケーブル（符号なし）によって接続している。また、基板１７は、ヒンジ３を通り抜けるケーブル１８によってボタン操作部４側と接続している。
【００２４】
また、図３を参照すると、レシーバ１をディスプレイ２よりも高い位置に配置することで、レシーバ１の下にあるカメラ１５の配置の自由度が上がっていることが模式的に示されている。すなわち、レシーバ１を立ち壁８の上面側に配置することによってレシーバ１の下、すなわちディスプレイ２側の筐体裏面側により広い空間が確保できるため、より大きなカメラ１５を搭載することが可能となる。
【００２５】
以上に示した構造とすることによって、図２Ａ、図２Ｂ及び図３に示される様な本発明による折り畳み式電子機器を作り出すことが可能となる。
【００２６】
本発明の折り畳み式電子機器の構造によって、ディスプレイ２に強い光が入り込む様な状況、例えば、太陽光下の様な環境下においても、ディスプレイ２の表示が見やすい状態が実現される。すなわち、ディスプレイ２の上側にディスプレイ２より高い段差の立ち壁８を設け、またディスプレイ２の左右両側に立ち壁９、及び１０を設けた本実施形態の構造を有する携帯電話機を使用者が手に持って、正面からディスプレイ２を見る場合、ディスプレイ２の上側から来る外光は立ち壁８によって遮られ、またディスプレイ２の左右から来る外光は立ち壁９、及び１０によって遮られる。このため、これらの方向から来る外光や映り込みによって使用者にとってディスプレイ２の画面が見にくくなることを本発明では排除することができる。
【００２７】
また、電車内において、メールの閲覧や作成を行う場合等には、使用者の周囲の人にディスプレイ２の表示画面を覗き見される可能性がある。この対策としては既に、ディスプレイ２の照明輝度、又は階調を下げること、及びディスプレイ２上に偏光シートを貼り付けること等の手段が講じられている。しかし、これらの対策には、使用者本人にとっても表示内容が見にくくなってしまうという問題点があり、本質的な解決策にはなっていない。本発明の折り畳み式電子機器の構造である、立ち壁８、９、及び１０は、使用者周辺の他人が、ディスプレイ２の表示画面を覗き見することを阻止する役割を担う効果を有するものである。
【００２８】
同一平面上にレシーバ１、及びディスプレイ２を有する携帯電話機を用いた通話の際にはレシーバ２に使用者が耳を押し当てるので、ディスプレイ２への使用者の顔（耳、及び頬）の接触は避けられず、ディスプレイ２に皮脂や汗が付着する。しかし、本発明の折り畳み式電子機器の構造である、ディスプレイ２の表面から立ち壁８の高さ分の高い位置（使用者に近い位置）に配置されたレシーバ１によって通話時の使用者とディスプレイ２との間には立ち壁９、及び１０の高さ分の隙間が確保されるため、使用者の肌がディスプレイ２に触れることを回避することができる。
【００２９】
また、本発明の折り畳み式電子機器の構造である、ディスプレイ２よりも高い位置である立ち壁８の上面側へのレシーバ１の配置によって、レシーバ１の下により広い空間が確保できるため、より大きなカメラ１５を搭載することが可能になっている。このことは、更なるカメラの性能向上が求められる競争時代の中での優位性になり得る。また、確保された空間には、カメラに限定されず、テレビ放送受信装置等、種々の装置の配置が可能であることはいうまでもない。
【００３０】
ヒンジ３でディスプレイ２側の筐体とボタン操作部４側の筐体とを折り畳む際に、立壁９、１０、及び８と噛み合う様に、ボタン操作部４の左右両側に段差１１、１２を設け、ボタン操作部４の下側に段差１３を設ける本発明の折り畳み式電子機器の構造においては、
上述の効果を有しながら、折り畳んだ状態が直方体の形状に納まる。これは、携帯性が重視される折り畳み式電子機器にとっては重要視され得る効果である。
【００３１】
したがって、本発明では、使用者周辺の他人からのディスプレイ２の覗き見の阻止をかなえつつ、ディスプレイ２への外光の遮断によって見やすい画面を表示し、ディスプレイ２への皮脂や汗の付着する機会を回避し、より高性能なカメラ１５を配置する空間を作り出しながら、折り畳んだ際の寸法が拡大することのない折り畳み式電子機器の提供を実現することができる。
【００３２】
以上、本発明の実施形態を説明した。しかし、本発明は上記実施形態に限定されるものではなく、本発明の要旨を逸脱しない範囲内で種々変形して実施することができる。
【符号の説明】
【００３３】
１  レシーバ
２  ディスプレイ
３  ヒンジ
４  ボタン操作部
５  マイク
６  ディスプレイ２側の筐体
７  ボタン操作部４側の筐体
８  ディスプレイ２の上側の立ち壁（台状段差）
９、１０  ディスプレイ２の左右両側の立ち壁
１１、１２  ボタン操作部４の左右両側の段差
１３  ボタン操作部４の下側の段差（削り段差、切り欠き）
１４  サブディスプレイ
１５  カメラ
１６  噛み合わせ位置
１７  基板
１８  ケーブル
【図１】
2011124649.tif 000003
【図２Ａ】
2011124649.tif 000004
【図２Ｂ】
2011124649.tif 000005
【図３】
2011124649.tif 000006